(57)【要約】【課題】親綱支柱に対し、過大な外力が加わっても、簡易な構成で連結部分での折れを防止し、親綱支柱の損傷が生じ難くなるようにする。【解決手段】支柱本体の咥え体４に対する連結部位に、支柱本体３の内部側から順に長さ寸法を大きくした複数の金属製角柱体１０を挿入してなる補強機構部１１を設けた。【選択図】    図１
2004211402.tif 000002
【特許請求の範囲】
【請求項１】
上端を親綱支持部とする支柱本体と横向きに開いて鉄骨フランジなどの板状部材が差し入れられる咥え体とを連結してなり、前記咥え体に設けた一対のねじの締め付けにより前記板状部材を挟持して支柱止着部位に固定される構成とした親綱支柱において、
前記支柱本体の咥え体に対する連結部位に、支柱本体の内部側から順に長さ寸法を大きくした複数の金属製角柱体を挿入してなる補強機構部を設けたことを特徴とする親綱支柱。
【発明の詳細な説明】
【０００１】
【発明の属する技術分野】
本発明は親綱支柱に関するものである。
【０００２】
【従来の技術】
親綱支柱は建設工事などでの高所作業位置で親綱を掛渡すために使用する金属製の用具であって、図５に示されているように従来からこの親綱支柱１は上端を親綱支持部２とする角柱パイプの支柱本体３とこの支柱本体３の下端において横向きに開いて鉄骨フランジなどの板状部材ａが差し入れられる咥え体４とから構成されている。
そして、この親綱支柱１では鉄骨フランジなどの支柱止着部位となる板状部材ａに対して取り付け、また使用後には取り外すようにしており、この着脱が行なえるようにするために上記咥え体４は、支柱高さ方向に上アゴ部５と下アゴ部６とが相対してこの上アゴ部５と下アゴ部６とが共に横方向に張り出していて、この咥え体４を側方からみたときに略コ状となるように設けられていた。さらには上アゴ部５に一対のねじ７が設けられていて（図６参照）、このねじの締め付けにより板状部材ａを挟持して親綱支柱１が支柱止着部位に固定される構成となっていた（例えば、特許文献１参照）。
【０００３】
【特許文献１】
実開平５−５２１１９号公報（段落番号０００３、図４）
【０００４】
【発明が解決しようとする課題】
上記従来の親綱支柱１では図６に示すように咥え体４での上アゴ体５は横部材が対になってそれぞれ横方向に張り出しており、この横部材それぞれに上記ねじ７が螺合している。そして前記ねじ７にあっては上アゴ部張出方向に対して直交する方向において離間した状態で並び、上アゴ部張出方向に対して直交する方向の直線上に並ぶ配置となっていた。
そして、高所作業に際して作業者は身に付けた安全帯を安全滑車を介して親綱に掛けるようにし、作業者の移動に伴って前記安全滑車が親綱に係止した状態で移動することになり、作業により親綱が親綱の張設方向と直交する方向に引っ張られることがあっても、このような程度の外力に十分抗する強度を備え、取付も確実なものとされている。
しかしながら、工事現場での取り扱いなどにてこの親綱支柱を落下させるなどして過大な衝撃が加わると、シンプルな棒状を呈する支柱部分とこの支柱形状に対して極めて異形である咥え体との間で応力が集中し、この連結部分で曲りが生じ易くなっている。そのため、この親綱支柱の搬送時や設置時などの取り扱いに注意を要するが、重量物であることからその取り扱いが困難になるという問題があった。
そこで本発明は上記事情に鑑み、親綱支柱に対し、過大な外力が加わっても、簡易な構成で連結部分での折れを防止することを課題とし、親綱支柱の損傷が生じ難くなるようにすることを目的とする。
【０００５】
【課題を解決するための手段】
本発明は上記課題を考慮してなされたもので、上端を親綱支持部とする支柱本体と横向きに開いて鉄骨フランジなどの板状部材が差し入れられる咥え体とを連結してなり、前記咥え体に設けた一対のねじの締め付けにより前記板状部材を挟持して支柱止着部位に固定される構成とした親綱支柱において、前記支柱本体の咥え体に対する連結部位に、支柱本体の内部側から順に長さ寸法を大きくした複数の金属製角柱体を挿入してなる補強機構部を設けたことを特徴とする親綱支柱を提供して、上記課題を解消するものである。
【０００６】
【発明の実施の形態】
つぎに本発明を図１から図４に示す実施の形態に基づいて詳細に説明する。
本実施の形態の一例である図示の親綱支柱１はその基本形態自体は従来のものと同一であり、上端を親綱支持部２とする角柱パイプの支柱本体３とこの支柱本体３の下端において横向きに開いく咥え体４とから構成され、咥え体４自体も支柱高さ方向に上アゴ部５と下アゴ部６とが支柱高さ方向に相対した状態で横方向に張り出し、側方からみたときに略コ状となるように設けられている。
【０００７】
上述したように支柱本体３と咥え体４とからなる本親綱支柱１は前記支柱本体３と咥え体４とに分離可能に構成されているもので、支柱本体３の下部側を差し入れることができるように前記咥え体４には上面を挿入口とする取付部８を備え、この取付部８に支柱本体３の下部を挿入し、ボルト９を咥え体４の側面側からこの咥え体４と支柱本体３とのそれぞれに設けられているボルト孔に貫通配置させてボルト他端側をナットなどにより締付け固定している。このボルト９によって支柱本体３と咥え体４とを分離可能に連結していて、親綱支柱１の保管時などにおいて支柱本体３と咥え体４とを分離して取り扱えるようにしている。
【０００８】
そして、図示されているように支柱本体３にあってはボルト連結部と上記咥え体４の挿入口対応部分とを含むように支柱本体３の内部側から順に長さ寸法を大きくした複数の金属製角柱体１０を挿入してなる補強機構部１１が構成されている。この補強機構部１１における前記角柱体１０それぞれは内側の角柱体１０が外側の角柱体１０の内部に出し入れでき、かつ内側の角柱体１０の外面が外側の角柱体１０の内面に面接する形状関係としており、この関係は最外方に位置する支柱本体３とその内面に接する角柱体１０との間でも成立するように構成されている。
このように支柱本体３にあっては、ボルト連結部と咥え体の挿入口対応部分とを含むように内方から外方にかけて徐々に長さ寸法を大きくした複数の角柱体１０からなる補強機構部１１を有していて、この補強機構部１１において重ねバネ作用を発揮できるようにしている。
このように親綱支柱１の支柱本体３において上記補強機構部１１を有して重ねバネ作用を生じることができるようにしているため、設置されている親綱支柱１の支柱本体３に対して大加重を伴う衝撃などが加わることがあっても、その衝撃エネルギーを補強機構部１１を吸収し、支柱本体３の咥え体挿入口対応部分での折れや咥え体４のロールを生じさせないようにすることができる。
勿論、親綱支柱１の搬入時や取り扱い時にスラブ上などに落下してぶつかるようなことが生じても、その衝撃エネルギーを上記補強機構部１１にて吸収して親綱支柱自体が損傷する可能性を大幅に軽減できる。
【０００９】
さらに本実施の形態では、咥え体４の上アゴ部５に螺合する一対のねじ７それぞれは、図４に示されているように上アゴ部張出方向Ｘに直交する方向に離間して並び、そして上アゴ部先端からの上アゴ部張出方向Ｘでの位置が異なるように配置されている。このように本実施の形態では、上アゴ部張出方向Ｘにおいて一対のねじ７が間隔１２をもって離間している状態となっており、仮に上アゴ部張出方向Ｘに沿った方向から支柱本体３に対して外力が加わっても咥え体４のロールが抑えられ、親綱支柱１の傾斜を防止している。勿論、親綱の張設方向に沿って支柱本体３に外力が加わっても（即ち、上アゴ部張設方向Ｘと直交する方向）、一対のねじ７は上アゴ部張設方向Ｘと直交する方向においても離間しているため、親綱支柱１の傾斜は生じない。
よって、使用中の親綱支柱１の立設状態を適正に保つことができる。
【００１０】
【発明の効果】
以上説明したように本発明では、支柱本体の咥え体に対する連結部位に、支柱本体の内部側から順に長さ寸法を大きくした複数の金属製角柱体を挿入してなる補強機構部を設けたため、工事現場などでスラブ上に落下させるなどのような衝撃が加わったとしても補強機構部がその衝撃を吸収して、支柱本体を曲りを防止できる。さらに、支柱本体の内部に補強機構部を備えているため、親綱支柱の外形状をシンプルな状態のままに維持し易いなど、実用性に優れた効果を奏するものである。
【図面の簡単な説明】
【図１】本発明に係る親綱支柱の一例を一部切り欠いた状態で示す説明図である。
【図２】使用状態にある一例を側方から見た状態で示す説明図である。
【図３】一例を示すもので、（イ）は側面から見た状態を示す説明図、（ロ）は咥え体開放側から見た状態を説明図である。
【図４】図３でのＡ−Ａ線部断面と一対のねじの位置を示す説明図である。
【図５】従来例を使用状態で示す説明図である。
【図６】従来例における対のねじの位置を示す説明図である。
【符号の説明】
１…親綱支柱
２…親綱支持部
３…支柱本体
４…咥え体
５…上アゴ部
６…下アゴ部
７…ねじ
８…取付部
９…ボルト
１０…角柱体
１１…補強機構部
１２…間隔
Ｘ…上アゴ部張出方向
【図１】
2004211402.tif 000003
【図２】
2004211402.tif 000004
【図３】
2004211402.tif 000005
【図４】
2004211402.tif 000006
【図５】
2004211402.tif 000007
【図６】
2004211402.tif 000008